(57)【要約】【課題】人の背面側に位置する部分を開いて着付ける着物であって、車椅子等に着座したまま、或いは横たわったままでも着付けでき、車椅子等の着座において、また立位正面視においても、本物の着物のような外観となる簡易着付け式着物を提供する。【解決手段】上記課題を解決するために、本発明は、人の背面側に位置する部分を開いて着付ける着物であって、左右上身頃の正面側を縫着し背面側に上開口を備える上身頃と、前記上身頃上部に位置する衿部と、前記上身頃左右に位置する左右袖部と、前記上身頃の胴部の表面に位置する帯部と、前記上身頃の下端部に位置し背面側に下開口を備える下身頃と、前記上下開口の開口度合いを調節する上下連結部材と、からなることを特徴とする簡易着付け式着物とした。【選択図】図２
2016084568.tif 000002
【特許請求の範囲】
【請求項１】
人の背面側に位置する部分を開いて着付ける着物であって、
左右上身頃の正面側を縫着し背面側に上開口を備える上身頃と、
前記上身頃上部に位置する衿部と、
前記上身頃左右に位置する左右袖部と、
前記上身頃の胴部の表面に位置する帯部と、
前記上身頃の下端部に位置し背面側に下開口を備える下身頃と、
前記上下開口の開口度合いを調節する上下連結部材と、
からなることを特徴とする簡易着付け式着物。
【請求項２】
人の背面側に位置する部分を開いて着付ける着物であって、
左右上身頃の正面側を縫着し背面側に上開口を備える上身頃と、
前記上身頃の上部に縫着され背面側で分離・連結可能な輪状の衿部と、
前記上身頃の左右に縫着された左右袖部と、
前記上身頃の胴部の表面に固定された帯部と、
前記上身頃の下端部に固定される上前身頃及び下前身頃と背面側に下開口を備える下身頃と、
前記上下開口の開口度合いを調節する上下連結部材と、
からなることを特徴とする簡易着付け式着物。
【請求項３】
前記下身頃が、前記上身頃と着脱可能で、かつ固定位置が可変であることを特徴とする請求項１又は請求項２に記載の簡易着付け式着物。
【請求項４】
前記上下身頃の固定を、面ファスナーによる固定としたことを特徴とする請求項３に記載の簡易着付け式着物。
【請求項５】
前記帯部の帯の表面に帯締めを固定するとともに、前記帯の上部内側に帯揚げの下端部を固定したことを特徴とする請求項１〜請求項４の何れか１項に記載の簡易着付け式着物。
【請求項６】
前記下身頃の前記上前身頃と前記下前身頃を縫着したことを特徴とする請求項１〜請求項５の何れか１項に記載の簡易着付け式着物。
【請求項７】
前記上前身頃と前記下前身頃を縫着位置をおくみ線位置とし、前記上前身頃のおくみは、前記下前身頃に縫着されないことを特徴とする請求項６に記載の簡易着付け式着物。
【請求項８】
前記衿部が、背面側で分離・連結可能な左右衿、前記左右衿内に位置する左右衿芯及び左右衿内側上部に固定した左右半衿を備えることを特徴とする請求項１〜請求項７の何れか１項に記載の簡易着付け式着物。
【請求項９】
前記上身頃と帯部の間或いは帯部の間に、前記上連結部材の未使用時に、前記上連結部材を収納する収納部を備え、
又は／及び、前記下前身頃の内側に、前記下連結部材の未使用時に、前記下連結部材を収納する収納部を備えることを特徴とする請求項１〜請求項８の何れか１項に記載の簡易着付け式着物。
【請求項１０】
車椅子着座で使用されることを特徴とする請求項１〜請求項９の何れか１項に記載の簡易着付け式着物。
【請求項１１】
記念撮影で使用されることを特徴とする請求項１〜請求項９の何れか１項に記載の簡易着付け式着物。
【請求項１２】
レンタルされることを特徴とする請求項１〜請求項９の何れか１項に記載の簡易着付け式着物。
【請求項１３】
老人ホームに備えられることを特徴とする請求項１〜請求項９の何れか１項に記載の簡易着付け式着物。
【請求項１４】
病院施設に備えられることを特徴とする請求項１〜請求項９の何れか１項に記載の簡易着付け式着物。
【請求項１５】
結婚式で使用されることを特徴とする請求項１〜請求項９の何れか１項に記載の簡易着付け式着物。
【請求項１６】
故人への着付けで使用されることを特徴とする請求項１〜請求項９の何れか１項に記載の簡易着付け式着物。
【請求項１７】
人の背面側に位置する部分を開いて着付ける着物であって、
左右上身頃の正面側を縫着し背面側を接続部材で開閉可能に連結する上身頃と、
前記上身頃上部に位置する衿部と、
前記上身頃左右に位置する左右袖部と、
前記上身頃の胴部の表面に位置する帯部と、
前記上身頃の下端部に位置する下身頃と、
からなることを特徴とする簡易着付け式着物。
【請求項１８】
左右上身頃の正面側を縫製して筒状とし被って着装する上身頃と、
前記上身頃上部に位置する衿部と、
前記上身頃左右に位置する左右袖部と、
前記上身頃の胴部の表面に位置する帯部と、
前記上身頃の下端部に位置する下身頃と、
からなることを特徴とする簡易着付け式着物。
【請求項１９】
前記上身頃と下身頃を上下分離式とし、前記下身頃の上部にゴムバンドを備え腹部からの脱落を防止することを特徴とする請求項１７又は請求項１８に記載の簡易着付け式着物。
【請求項２０】
前記上身頃と下身頃を上下分離式とし、前記下身頃の背面側又は側面側に装着時の開口度を調節するファスナーが備えられることを特徴とする請求項１７〜請求項１９の何れか１項に記載の簡易着付け式着物。
【請求項２１】
前記帯部の背面は、伸縮自在の弾性体を介して、背面左右を輪状に連結することを特徴とする請求項１〜請求項２０の何れか１項に記載の簡易着付け式着物。
【請求項２２】
前記帯部の背面に着脱式の飾部を備えることを特徴とする請求項１〜請求項２１の何れか１項に記載の簡易着付け式着物。
【請求項２３】
衣服の上に巻かれる輪状の帯と、
前記帯に着脱可能に取り付けられる飾部と、
からなることを特徴とする簡易帯セット。
【請求項２４】
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯を挟持後、前記下飾部と上飾部の下端同士を連結する連結具と、
からなることを特徴とする着脱式飾部。
【請求項２５】
前記下飾部の上部に固定され前記飾部上部の形状を保持する一体帯枕を備えることを特徴とする請求項２４に記載の着脱式飾部。
【請求項２６】
前記飾部の間のいずれのかの場所を収納部としたことを特徴とする請求項２４又は請求項２５に記載の着脱式飾部。
【請求項２７】
前記収納部が、前記上下飾部の間に固定された開閉可能なネットであることを特徴とする請求項２６に記載の着脱式飾部。
【請求項２８】
前記収納部が、前記上飾部の間に配置されたことを特徴とする請求項２６に記載の着脱式飾部。
【請求項２９】
前記収納部が、前記上飾部の間に隙間を設け、前記隙間をチャック開閉式としたことを特徴とする請求項２６に記載の着脱式飾部。
【請求項３０】
前記下飾部の内部に、クッション材を配置したことを特徴とする請求項２４〜請求項２９の何れか１項に記載の着脱式飾部。
【請求項３１】
請求項２４〜請求項３０の何れか１項に記載の着脱式飾部を、前記帯から外し、鞄としたことを特徴とする帯飾鞄。
【請求項３２】
請求項３１に記載の帯飾鞄の両側面に、輪状のベルトをそれぞれ取り付けたことを特徴とする背負式バッグ。
【請求項３３】
請求項３１に記載の帯飾鞄に、吊りさげ又は把持可能なベルトを取り付けたことを特徴とするバッグ。
【請求項３４】
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯装着後、前記下飾部と上飾部の下端同士を連結する連結具と、
前記上下飾部の連結部分に位置するとともに前記飾部上部の形状を保持する帯枕、前記帯枕を包むとともに左右に突出する帯揚げ、前記帯揚げの左右突出部に縫製されるとともに下飾部に固定され前方で着脱可能に連結するゴムバンドよりなる一体帯揚げと、
からなることを特徴とする着脱式飾部。
【請求項３５】
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯装着後、前記下飾部と上飾部の下端同士を連結する連結具と、
前記上下飾部の連結部分に位置するとともに前記飾部上部の形状を保持する帯枕、前記帯枕を包むとともに左右に突出する帯揚げ、前記帯揚げの左右突出部に縫製され、かつ両端に係止具を設けるとともに背中側に位置する一本のゴムバンド、前記ゴムバンドの長さを調節する調節部、前記下飾部の背中側に固定され前記ゴムバンドを係止する固定部よりなる一体帯揚げと、
からなることを特徴とする着脱式飾部。
【請求項３６】
帯の表面に帯締めを固定するとともに、前記帯の上部内側に帯揚げの下端部を固定した着物の胴体部に一周未満で巻かれる一体帯と、
背中側で連結するベルト部と、
からなることを特徴とする簡易帯。
【請求項３７】
帯の上部内側に帯揚げの下端部を固定した着物の胴体部に一周未満で巻かれる一体帯と、
前記帯の両端に一端が接続し他端が正面側で連結する帯締め機能を備えたベルト部と、
からなることを特徴とする簡易帯。
【請求項３８】
帯の一方の端部に穴を穿設するとともに上部内側に帯揚げの下端部を固定した着物の胴体部に一周未満で巻かれる一体帯と、
前記帯両端に一端が接続するとともに一方が前記穴を挿通した上で、他端が正面側で連結する帯締め機能を備えたベルト部と、
からなることを特徴とする簡易帯。
【請求項３９】
帯の一方の端部に穴を穿設するとともに上部内側に帯揚げの下端部を固定した着物の胴体部に背中側で一部重ねて巻かれる一体帯と、
前記帯両端に一端が接続するとともに一方が前記穴を挿通した上で、他端が正面側で連結する帯締め機能を備えたベルト部と、
からなることを特徴とする簡易帯。
【請求項４０】
前記ベルト部を、長さ調節可能としたことを特徴とする請求項３６〜請求項３９の何れか１項に記載の簡易帯。
【請求項４１】
請求項３６〜請求項４０の何れか１項に記載の簡易帯と、
請求項２４〜請求項３０、請求項３４、請求項３５の何れか１項に記載の着脱式飾部と、
からなることを特徴とする簡易帯セット。
【請求項４２】
飾部と、
前記飾部に備えられた左右肩ベルトとからなり、
前記左右肩ベルトを左右の肩にかけた上で前記飾部を帯位置に位置させることを特徴とする背負式飾部。
【請求項４３】
前記飾部に、収納部を備えることを特徴とする請求項４２に記載の背負式飾部。
【請求項４４】
前記左右肩ベルトが、前記収納部に着脱可能に取り付けられ、かつ長さ可変であることを特徴とする請求項４１又は請求項４２に記載の背負式飾部。
【発明の詳細な説明】
【技術分野】
【０００１】
本発明は、人の背面側に位置する部分を開いて着付ける着物（和服）であって、車椅子等に着座したまま、或いは横たわったままでも着付けでき、車椅子等の着座において、また立位正面視においても、本物の着物のような外観となる簡易着付け式着物に関する。また、着装した立位の全方向からも、本物の着物のような外観となり、さらに着装したままでの歩行、外出をも可能にする簡易着付け式着物に関する。加えて、帯からお太鼓などの飾部を分離形成し、着物、洋服の上に巻かれた帯に着脱可能に装着され、或いは背負式の着脱式飾部、簡単に装着できる簡易帯、及び着脱式飾部と簡易帯からなる簡易帯セットに関する。さらには帯の飾部を分離形成した着脱式飾部を利用したバッグ等に関する。
【背景技術】
【０００２】
着物、取り分け女性用の和服は、着付けが難しい。従来から種々の工夫で、簡易に着装できる着物が考えられてきた（特許文献１等）。
【０００３】
しかしながら、従来の簡易に着付けられる着物であっても、前開きであったり、ワンピース型であったりして、着座したままでも人の背面側に位置する部分を開いて着付けられる着物は知られていない。体が不自由で車椅子での移動を必要とする人に、着物を着付けることは、一層困難である。
【０００４】
帯を巻き、結うのは健常者であっても大変である。まして、車椅子においては至難の技である。簡易帯として、例えば、特許文献２、３などが公開されているが、他の帯の構成物がないため、それのみでは、本物の帯のような外観を形成することはできず、他の構成部品の着付け、装着が必要になる。
【０００５】
その他、簡易帯と言われているものは、何れも本物の帯の外観を保たないか、帯を構成する帯締め、帯揚げ、帯枕等を別途装着する必要があるもので、他の構成物品の着付けを考慮すれば決して簡易とは言えない。また、特殊な着付け手法（特許文献４）を要するものである。車椅子用途であっても本物の帯の外観を保ち、簡易に装着できる帯は知られていない。
【０００６】
他方、着物を着たとき、小物の収納に困ることがある。着物用のハンドバッグがあるが、手の自由度が制限される上、介護用途の備品、オムツなど携帯するのに適当な大きさのバッグがないのがなどの問題がある。
【先行技術文献】
【特許文献】
【０００７】
【特許文献１】特開２００９−０７４２２５号公報
【特許文献２】特開２００６−２８６７５号公報
【特許文献３】特開２０００−１７００２２号公報
【特許文献４】特開２０１５−１０３０号公報
【発明の概要】
【発明が解決しようとする課題】
【０００８】
そこで、本発明は、人の背面側に位置する部分を開いて着付ける着物であって、着座したまま、或いは横たわったままでも着付けでき、車椅子等の着座において、また立位正面視においても、本物の着物のような外観となる簡易着付け式着物、さらに着装した立位の全方向からも、本物の着物のような外観となり、さらに着装したままでの歩行、外出をも可能にする簡易着付け式着物を提供することを目的とする。加えて、帯からお太鼓などの飾部を分離形成し、着物、洋服の上に巻かれた帯に着脱可能に装着され、或いは背負式の着脱式飾部、簡単に装着できる簡易帯、及び着脱式飾部と簡易帯からなる簡易帯セット、さらには帯の飾部を分離形成した着脱式飾部を利用したバッグ等に関する。
【課題を解決するための手段】
【０００９】
本発明は、上記課題を解決するために、
（１）
人の背面側に位置する部分を開いて着付ける着物であって、
左右上身頃の正面側を縫着し背面側に上開口を備える上身頃と、前記上身頃上部に位置する衿部と、前記上身頃左右に位置する左右袖部と、
前記上身頃の胴部の表面に位置する帯部と、前記上身頃の下端部に位置し背面側に下開口を備える下身頃と、前記上下開口の開口度合いを調節する上下連結部材と、からなることを特徴とする簡易着付け式着物。
（２）
人の背面側に位置する部分を開いて着付ける着物であって、
左右上身頃の正面側を縫着し背面側に上開口を備える上身頃と、前記上身頃の上部に縫着され背面側で分離・連結可能な輪状の衿部と、前記上身頃の左右に縫着された左右袖部と、前記上身頃の胴部の表面に固定された帯部と、前記上身頃の下端部に固定される上前身頃及び下前身頃と背面側に下開口を備える下身頃と、前記上下開口の開口度合いを調節する上下連結部材と、からなることを特徴とする簡易着付け式着物。
（３）
前記下身頃が、前記上身頃と着脱可能で、かつ固定位置が可変であることを特徴とする（１）又は（２）に記載の簡易着付け式着物。
（４）
前記上下身頃の固定を、面ファスナーによる固定としたことを特徴とする（３）に記載の簡易着付け式着物。
（５）
前記帯部の帯の表面に帯締めを固定するとともに、前記帯の上部内側に帯揚げの下端部を固定したことを特徴とする（１）〜（４）の何れかに記載の簡易着付け式着物。
（６）
前記下身頃の前記上前身頃と前記下前身頃を縫着したことを特徴とする（１）〜（５）の何れかに記載の簡易着付け式着物。
（７）
前記上前身頃と前記下前身頃を縫着位置をおくみ線位置とし、前記上前身頃のおくみは、前記下前身頃に縫着されないことを特徴とする（６）に記載の簡易着付け式着物。
（８）
前記衿部が、背面側で分離・連結可能な左右衿、前記左右衿内に位置する左右衿芯及び左右衿内側上部に固定した左右半衿を備えることを特徴とする（１）〜（７）の何れかに記載の簡易着付け式着物。
（９）
前記上身頃と帯部の間或いは帯部の間に、前記上連結部材の未使用時に、前記上連結部材を収納する収納部を備え、
又は／及び、前記下前身頃の内側に、前記下連結部材の未使用時に、前記下連結部材を収納する収納部を備えることを特徴とする（１）〜（８）の何れかに記載の簡易着付け式着物。
（１０）
車椅子着座で使用されることを特徴とする（１）〜（９）の何れかに記載の簡易着付け式着物。
（１１）
記念撮影で使用されることを特徴とする（１）〜（９）の何れかに記載の簡易着付け式着物。
（１２）
レンタルされることを特徴とする（１）〜（９）の何れかに記載の簡易着付け式着物。
（１３）
老人ホームに備えられることを特徴とする（１）〜（９）の何れかに記載の簡易着付け式着物。
（１４）
病院施設に備えられることを特徴とする（１）〜（９）の何れかに記載の簡易着付け式着物。
（１５）
結婚式で使用されることを特徴とする（１）〜（９）の何れかに記載の簡易着付け式着物。
（１６）
故人への着付けで使用されることを特徴とする（１）〜（９）の何れかに記載の簡易着付け式着物。
（１７）
人の背面側に位置する部分を開いて着付ける着物であって、
左右上身頃の正面側を縫着し背面側を接続部材で開閉可能に連結する上身頃と、
前記上身頃上部に位置する衿部と、
前記上身頃左右に位置する左右袖部と、
前記上身頃の胴部の表面に位置する帯部と、
前記上身頃の下端部に位置する下身頃と、
からなることを特徴とする簡易着付け式着物。
（１８）
左右上身頃の正面側を縫製して筒状とし被って着装する上身頃と、
前記上身頃上部に位置する衿部と、
前記上身頃左右に位置する左右袖部と、
前記上身頃の胴部の表面に位置する帯部と、
前記上身頃の下端部に位置する下身頃と、
からなることを特徴とする簡易着付け式着物。
（１９）
前記上身頃と下身頃を上下分離式とし、前記下身頃の上部にゴムバンドを備え腹部からの脱落を防止することを特徴とする（１７）又は（１８）に記載の簡易着付け式着物。
（２０）
前記上身頃と下身頃を上下分離式とし、前記下身頃の背面側又は側面側に装着時の開口度を調節するファスナーが備えられることを特徴とする（１７）〜（１９）の何れかに記載の簡易着付け式着物。
（２１）
前記帯部の背面は、伸縮自在の弾性体を介して、背面左右を輪状に連結することを特徴とする（１）〜（２０）の何れかに記載の簡易着付け式着物。
（２２）
前記帯部の背面に着脱式の飾部を備えることを特徴とする（１）〜（２１）の何れかに記載の簡易着付け式着物。
（２３）
衣服の上に巻かれる輪状の帯と、
前記帯に着脱可能に取り付けられる飾部と、
からなることを特徴とする簡易帯セット。
（２４）
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯を挟持後、前記下飾部と上飾部の下端同士を連結する連結具と、
からなることを特徴とする着脱式飾部。
（２５）
前記下飾部の上部に固定され前記飾部上部の形状を保持する一体帯枕を備えることを特徴とする（２４）に記載の着脱式飾部。
（２６）
前記飾部の間のいずれのかの場所を収納部としたことを特徴とする（２４）又は（２５）に記載の着脱式飾部。
（２７）
前記収納部が、前記上下飾部の間に固定された開閉可能なネットであることを特徴とする（２６）に記載の着脱式飾部。
（２８）
前記収納部が、前記上飾部の間に配置されたことを特徴とする（２６）に記載の着脱式飾部。
（２９）
前記収納部が、前記上飾部の間に隙間を設け、前記隙間をチャック開閉式としたことを特徴とする（２６）に記載の着脱式飾部。
（３０）
前記下飾部の内部に、クッション材を配置したことを特徴とする（２４）〜（２９）の何れかに記載の着脱式飾部。
（３１）
（２４）〜（３０）の何れかに記載の着脱式飾部を、前記帯から外し、鞄としたことを特徴とする帯飾鞄。
（３２）
（３１）に記載の帯飾鞄の両側面に、輪状のベルトをそれぞれ取り付けたことを特徴とする背負式バッグ。
（３３）
（３１）に記載の帯飾鞄に、吊りさげ又は把持可能なベルトを取り付けたことを特徴とするバッグ。
（３４）
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯装着後、前記下飾部と上飾部の下端同士を連結する連結具と、
前記上下飾部の連結部分に位置するとともに前記飾部上部の形状を保持する帯枕、前記帯枕を包むとともに左右に突出する帯揚げ、前記帯揚げの左右突出部に縫製されるとともに下飾部に固定され前方で着脱可能に連結するゴムバンドよりなる一体帯揚げと、
からなることを特徴とする着脱式飾部。
（３５）
着物の胴体部に巻かれた輪状の帯を挟み折り畳んで前記帯に着脱可能に取り付けられる飾部であって、
背中と前記帯の間に挟み込まれる下飾部と、
前記下飾部に連設するとともに帯生地を複数枚重ねて縫製してなり前記帯の外側に位置する上飾部と、
前記帯装着後、前記下飾部と上飾部の下端同士を連結する連結具と、
前記上下飾部の連結部分に位置するとともに前記飾部上部の形状を保持する帯枕、前記帯枕を包むとともに左右に突出する帯揚げ、前記帯揚げの左右突出部に縫製され、かつ両端に係止具を設けるとともに背中側に位置する一本のゴムバンド、前記ゴムバンドの長さを調節する調節部、前記下飾部の背中側に固定され前記ゴムバンドを係止する固定部よりなる一体帯揚げと、
からなることを特徴とする着脱式飾部。
（３６）
帯の表面に帯締めを固定するとともに、前記帯の上部内側に帯揚げの下端部を固定した着物の胴体部に一周未満で巻かれる一体帯と、
背中側で連結するベルト部と、
からなることを特徴とする簡易帯。
（３７）
帯の上部内側に帯揚げの下端部を固定した着物の胴体部に一周未満で巻かれる一体帯と、
前記帯の両端に一端が接続し他端が正面側で連結する帯締め機能を備えたベルト部と、
からなることを特徴とする簡易帯。
（３８）
帯の一方の端部に穴を穿設するとともに上部内側に帯揚げの下端部を固定した着物の胴体部に一周未満で巻かれる一体帯と、
前記帯両端に一端が接続するとともに一方が前記穴を挿通した上で、他端が正面側で連結する帯締め機能を備えたベルト部と、
からなることを特徴とする簡易帯。
（３９）
帯の一方の端部に穴を穿設するとともに上部内側に帯揚げの下端部を固定した着物の胴体部に背中側で一部重ねて巻かれる一体帯と、
前記帯両端に一端が接続するとともに一方が前記穴を挿通した上で、他端が正面側で連結する帯締め機能を備えたベルト部と、
からなることを特徴とする簡易帯。
（４０）
前記ベルト部を、長さ調節可能としたことを特徴とする（３６）〜（３９）の何れかに記載の簡易帯。
（４１）
（３６）〜（４０）の何れかに記載の簡易帯と、
（２４）〜（３０）、（３４）、（３５）の何れかに記載の着脱式飾部と、
からなることを特徴とする簡易帯セット。
（４２）
飾部と、
前記飾部に備えられた左右肩ベルトとからなり、
前記左右肩ベルトを左右の肩にかけた上で前記飾部を帯位置に位置させることを特徴とする背負式飾部。
（４３）
前記飾部に、収納部を備えることを特徴とする（４２）に記載の背負式飾部。
（４４）
前記左右肩ベルトが、前記収納部に着脱可能に取り付けられ、かつ長さ可変であることを特徴とする（４１）又は（４２）に記載の背負式飾部。
とした。
【発明の効果】
【００１０】
本発明は、以上の構成であるので、着座したまま或いは横たわったままでも、勿論立ったままでも、洋服、普段着の上から、簡易に着付けすることができる。車椅子での生活を強いられる方でも、冠婚葬祭において、着物を着用したいときがあるが、歩行、起立困難な方に着物を着付けるには、一人が着付けされる人を支え、もう一人が着付けをする等、健常者の着付け以上に着付け作業は困難であるが、本発明では、背面部が開口しているため、正面視においては通常の着物のように見えるが、着付けが極めて簡易となる。
【００１１】
従来、着物の着用を、着付けの困難さから断念していた人でも、簡易に着物を着装できるので、気兼ねなく、着装、オシャレができる。衣装のレンタル業者が、本発明の着物を貸し出することで、使用者は、必要なときに、低廉で衣装を借りることができる。また、病院、老人ホームなどに備えられれば、患者がベッドによこになったままで、車椅子に着座したままで、簡単に着付けしてもらえるので、簡単に記念日などに記念撮影できる。さらに、亡くなられた方への着付けも極めて簡易である。また、排泄、排泄物の処理も、下身頃を持ち上げれば、容易に可能になる。
【００１２】
さらに、記念撮影においては、図４、５に示すように、健常者が立ったままでも、極めて短時間で着物の着付けが可能であるので便利である。
【００１３】
実施例２、３であれば、健常者への簡易着付け式着物となり、どの方向からみても本物の着物のような外観となり、背面側からの記念撮影も可能で、さらに歩行、外出することも可能になる。短時間に洋服等普段着の上から、特殊な着付け技法を知らない客、スタッフ、外国人であっても、本発明は着装できるため、観光地、イベント会場などでも、何の準備をしていない客であっても、その場で短時間に着物姿での記念撮影、行動が可能になる。外国人観光客へのレンタル、お土産として最適である。また、簡易に着物の外観を形成することができるため、早着替えなど各種興行、飲食物なの提供のサービス業、接客業などの制服、衣装、コスプレとしての普及も図れる。
【００１４】
着物の各種パーツが縫い合わされており、最小のパーツ、即ち上身頃と下身頃（上身頃と一体であってもよい）と帯部とで着物の外観を形成し、人の背面側に位置する部分を開いて着付ける着物、或いはＴシャツ、セーターなどと同様に同体部が筒状であれば頭から被って着装するため、極めて簡単な着付けが可能になる。また、素材をナイロンなどにすれば、自宅での洗濯も可能で、極めて簡易な管理ができ、普段着として着物を着用する日本文化を復古させ、日本のみならず海外への着物文化の普及に資する。同様な方式で、各国の民族衣装も同様に簡易着付け式とすることができ、各国の介護、介護の改善に資する。
【００１５】
加えて、着脱式飾部、例えばお太鼓形状であれば、帯に簡易装着できる。また、帯に収納部を設けることで、オムツ、その他小物の収納が可能になる。さらに、背負式とすれば、重さによる飾部の脱落、小物の取り出しの煩雑さが解消される。
【００１６】
また、簡易帯と着脱式飾部の簡易帯セットであれば、従来の着物にも応用でき、着物の着付けが簡単になる。
【００１７】
また、帯素材で形成したお太鼓に、収納部を設け、さらに着脱可能な取っ手或いはベルトを接続すれば、和装にコーディネートされたバッグとしても利用することができる。さらに、ランドセル型の背負式飾部であれば、従来にない外観と、小物の携帯が容易になる。これら着脱式飾部であれば、和装に限らず、あらゆる装いとともに、単独で、バッグとして持つこともでき、従来にない新たな意匠、素材のバッグを提供することができる。
【図面の簡単な説明】
【００１８】
【図１】本発明である簡易着付け式着物を車椅子に着座して着装したとき正面斜視図である。
【図２】本発明である簡易着付け式着物を車椅子に着座して着装したとき側面後方斜視図である。
【図３】本発明である簡易着付け式着物の帯背面の説明図である。
【図４】本発明である簡易着付け式着物を立ったまま着装したときの正面図である。
【図５】本発明である簡易着付け式着物を立ったまま着装したときの背面図である。
【図６】本発明である簡易着付け式着物の第２の実施形態の装着したときの背面図である。
【図７】本発明である帯の飾部を分離形成した一例であるお太鼓形状の着脱式飾部の説明図である。
【図８】図７のお太鼓形状の着脱式飾部のＡ−Ａ断面図である。
【図９】お太鼓形状の着脱式飾部の装着方法の説明図である。説明の都合上、車椅子用簡易着付け式着物１に対して、椅子に腰掛けて装着する場面を用いた。
【図１０】本発明である帯の飾部を分離形成した一例であるお太鼓形状の着脱式飾部の他の実施形態の説明図である。
【図１１】本発明である帯の飾部を分離形成した一例であるお太鼓形状の着脱式飾部の第三の実施形態の説明図である。
【図１２】本発明である帯の飾部を分離形成した一例であるお太鼓形状の着脱式飾部の第四の実施形態の説明図である。
【図１３】本発明である簡易帯の一例の説明図である。
【図１４】本発明である簡易帯の他の実施形態の説明図である。
【図１５】本発明である簡易帯の第三の実施形態の説明図である。
【図１６】本発明である簡易帯の第四の実施形態の説明図である。
【図１７】本発明である帯の飾部を分離形成した一例であるお太鼓形状の着脱式飾部の第五の実施形態の説明図である。
【図１８】本発明である帯の飾部を分離形成した第五のお太鼓形状の着脱式飾部をバッグとして使用するときの説明図である。
【図１９】本発明の着脱式飾部の一例であるランドセル形状の背負式飾部の斜視模式図である。
【発明を実施するための形態】
【００１９】
以下、添付図面に基づき本発明について詳細に説明する。なお、本発明は下記実施例に限定されるものではない。
【実施例１】
【００２０】
図１−５に示すように、本発明である簡易着付け式着物１は、上身頃２と、衿部３と、左袖部４、右袖部５と、帯部６と、下身頃７と、連結部材（上下連結部材６ｇ、７ｇ）からなり、着座したまま或いは横たわったままでも、勿論立ったままでも、簡易に着付けすることができる。
【００２１】
本発明の簡易着付け式着物１は、通常の着物同様、時と場所、場合に応じた外観とすることができる。例えば、女性用であれば、打掛、黒留袖、本振袖、喪服、色留袖、訪問着、振袖、色無地、江戸小紋の紋付、付け下げ、付け下げ小紋、小紋（友禅）、小紋、紬の訪問着、無地の紬、絞り、お召、更紗、紬、絣、黄八丈、ウール、銘仙、木綿、浴衣などがある。男性用であれば、黒羽二重五つ紋付、色紋付、お召一つ紋付、紬（アンサンブル）、ウール（アンサンブル）、上布などと呼ばれるものがある。病院で、簡単に着付けできれば、写真撮影七五三、成人式などの記念撮影も容易である。
【００２２】
上身頃２は、左上身頃２ａと右上身頃２ｂを正面側で縫着しなり、その下端部にはおはしょり２ｃを備え、背面側に上開口２ｇを備える。左右上身頃２ａ、２ｂ上部は分離、連結可能にし、背中の上部をカバーすると、車椅子１０に着座したときでも、上開口２ｇが車椅子１０の背もたれ１０ａに隠れ、背面側の上開口２ｇが第三者から視認されにくく、本物の着物のような外観になる。
【００２３】
左右上身頃２ａ、２ｂの背面は、それぞれの端部に設けられた面ファスナー２ｅ、２ｆにより着脱自在にするとよく、その他、ボタン、ホックなどでの着脱方式としてもよい。
【００２４】
おはしょり２ｃは、面ファスナーなどで、左右上身頃２ａ、２ｂに着脱可能に取り付けても、縫製してもよい。
【００２５】
なお、左右上身頃２ａ、２ｂ下端内部には、下身頃７を着脱可能に取り付け可能とする場合には、面ファスナー２ｄを備えるとよい。
【００２６】
衿部３は、上身頃２の上部に縫着された左右衿３ｅ、３ｆからなり、背面側で分離・連結可能である。
【００２７】
衿部３の分離・連結は、左右衿３ｅ、３ｆの端部に設けられた面ファスナー３ｈ、３ｉにより着脱自在にするとよく、その他、ボタン、ホックなどでの着脱方式としてもよい。衿部３の背面の連結部分を、衿部３の背面の内側に端部が縫製されたカバー３ｇで覆い、その他端部を衿部３に取り付けたボタン３ｊに固定することで、衿部３の連結部が隠され、一層、本物の着物のような外観になる。
【００２８】
また、左右衿３ｅ、３ｆの内部にそれぞれ着脱可能に左右衿芯３ａ、３ｂ、さらに左右衿３ｅ、３ｆの内側にそれぞれ縫製された左右半衿３ｃ、３ｄを備えることで、一層、本物の着物のような外観になる。左右衿芯３ａ、３ｂを取り出し可能にすることで、洗濯が用意になり、クリーニングも可能になる。左右衿芯３ａ、３ｂの素材としては、厚紙、プラスチックなどが例示できる。
【００２９】
左右袖部４、５は、左右上身頃２ａ、２ｂの肩部に縫製（縫線４ａ、５ａ）され、着用者の年齢、時、場所、場合に応じて、着物と同様の着物の形状、袖の形状、丈（振り袖型、訪問着型）にすることができる。また、着脱式としてもよい。手が不自由な方の場合への着付けにおいて一層容易になる。
【００３０】
帯部６は、左右上身頃２ａ、２ｂの胴部の表面に位置、固定される帯６ａと、その付属品からなる。したがって、左右上身頃２ａ、２ｂと同様、背面側は連結されておらず、上開口２ｇとなる。上身頃２への固定は縫製による固定、面ファスナーなどによる着脱式であってもよい。
【００３１】
帯部６を、本物の着物のような外観、着こなしに見えるように、帯６ａの上側内側に固定された帯揚げ６ｃ、帯６ａ表面には帯締め６ｄ、帯６ａの背面には帯板６ｂを固定するとよい。その固定は、縫製、或いは面ファスナーであってもよい。勿論、帯揚げ６ｃ、帯締め６ｄも、図２、５に示すように、背面側はそれぞれ連結していない。帯板６ｂは洗濯、クリーニングしやすいように、面ファスナーなどによる着脱式とするとよい。
【００３２】
下身頃７は、上身頃２の下端部に端部が固定される下前身頃７ｂと、その上を覆いおくみ線７ｄ位置で下前身頃７ｂに縫製される上前身頃７ａと、背面側の下開口７ｉとからなる。下身頃７は、上身頃２の下部内側に取り付けた面ファスナー２ｄに、その上部外側に固定された面ファスナー７ｅで取り付けることで、下身頃７の長さを調節でき、レンタルしやすい。面ファスナー７ｅは、取り付け位置（高さ）の自由度が高い方が下身頃７の長さの調節幅が広い。
【００３３】
下前身頃７ｂのおくみ線７ｄより右側は、下前身頃７ｂに縫製されず、ひらひらするおくみ７ｃとすることで、一層、本物の着物のような外観にすることができる。
【００３４】
上連結部材６ｇは、左右上身頃２ａ、２ｂの背面側で、帯６ａの内側に縫製され、お互いが着脱自在の左右の面ファスナー６ｅ、６ｆからなり、上開口２ｇの開口度合いを調節する。ここでは、上連結部材６ｇは、２本としたが、身長に合わせて、１本でも、３本以上としてもよい。
【００３５】
さらに、図３に示すように、面ファスナー６ｅの端部は、帯６ａ内部の空間（収納部６ｈ）に縫糸６ｉで縫製され、面ファスナー６ｅは、未使用時は、図３（Ｂ）に示すように、収納部６ｈに丸めるなどして収納できる。未使用の面ファスナーなどの連結部材帯部６に収納することで、外観を損ねない。面ファスナー６ｅ、６ｆは、その他に、帯部６にスライド引き出し、収納式などとしてもよい。さらに、収納部６ｈの口は、面ファスナー６ｋで閉止できるとより一層外観がよくなる。ここでは、面ファスナー６ｅについて示したが、面ファスナー６ｆも同様に収納できる。
【００３６】
下連結部材７ｈは、図３、５に示すように、上下上身頃７ａ、７ｂの背面側で、その端部を縫製等で固定され、お互いが着脱自在の左右の面ファスナー７ｆ、７ｇからなり、下開口７ｉの開口度合いを調節する。ここでは、下連結部材７ｈは、２本としたが、身長に合わせて、１本でも、３本以上としてもよい。車椅子などの椅子に着座して着装する場合には、下身頃７において、膝裏、脹ら脛の裏に２本、下連結部材７ｈを位置させるとよい。着座の場合、それら部分の下身頃７が開けやすいので、下連結部材７ｈで開けを防止するとよい。
【００３７】
また、面ファスナー７ｆ、７ｇは、使用しないときは、上連結部材６ｇ同様に、下身頃７に設けた収納部７ｋに収納できるようにするとよい。その場合には、面ファスナー７ｆ、７ｇの端部は、収納部７ｋ内に縫糸７ｍで縫製するとよい。収納部７ｋの口は、収納部６ｈと同様に面ファスナーで閉止するとよい。その他に、面ファスナー７ｆ、７ｇは、収納部にスライド引き出し、収納式などとしてもよい。
【００３８】
図４、５に示すように、本発明である簡易着付け式着物１は、短時間で着装できるので、外国人などの着物による記念撮影等に便利である。
【００３９】
本発明は、背中側に開口を有し、その他は、割烹着のように縫製されているので、着付けが極めて容易な上、正面視においては、通常の着物のような外観を演出できる、従来にない、簡易に着付けられる着物である。
【実施例２】
【００４０】
図６に示す簡易着付け式着物１ａは、人の背面側、或いは左右側面に位置する部分を開閉して着付ける着物であって、着物の上部分に相当する上身頃２と、衿部３と、左右袖部４、５と、帯部６と、着物の下部分に相当する下身頃７とからなる、健常者が着装しても、すなわち、立位であっても、本物の着物のような外観となる。したがって、歩行、背面側の撮影、外出の際に着用しても、本物の着物のような外観で、違和感がない。
【００４１】
上身頃２は、左右上身頃２ａ、２ｂの正面側を実施例１同様に開閉しないよう縫着し、背面側、望ましくは本物の着物にある縫い線部分に位置する接続部材２ｈで両端は隙間なく連結する。上身頃２のその他の形状、構造は、通常の着物、実施例１と同様の形態を採用することができる。
【００４２】
衿部３は、上身頃２の上部に位置する左右衿３ｅ、３ｆと、左右衿３ｅ、３ｆの内側に縫着した左右半衿３ｃ、３ｄと、左右半衿３ｃ、３ｄ内部に挿通し、連結する左右衿芯３ａ、３ｂと、左右衿３ｅ、３ｆを連結する接続部材３ｋとからなる。
【００４３】
左右衿芯３ａ、３ｂは、例えば、面ファスナー３ｈ、３ｉで連結する、その他方法、形状を採用してもよい。
【００４４】
接続部材３ｋは、線ファスナー（チャック）が例示されるが、その他方法、形状で連結してもよい。即ち、上身頃２及び衿部３は、背面側で開閉すれば、どのような形状であってもよい。接続部材３ｋは、後述の接続部材６ｎと一体であってもよい。左右衿３ｅ、３ｆを線ファスナーで接続する場合には、左右半衿３ｃ、３ｄは、左右衿３ｅ、３ｆの接続部材３ｋの位置では縫製しない。なお、帯部６より下の上身頃２の部分がおはしょり２ｃに相当する。
【００４５】
左右衿芯３ａ、３ｂは、分割することなく、一体として、男子学生服の襟のプラスチックカラーのように、連結後の左右衿３ｅ、３ｆの内側に固定してもよい。その場合には、肌に触れないよう、衿芯と肌との間に生地、例えば半衿生地で覆い、半衿生地を左右衿に固定するといよい。
【００４６】
左右袖部５、６は、上身頃２左右に縫製される。内部には、長襦袢を着ているように、袖口部分に、長襦袢用の布を縫製すると、より一層本物の着物のように見える。他の実施例においても同じ。
【００４７】
帯部６は、上身頃２の胴部の表面に位置すれば、どのような形状であってもよい。ここでの帯部６は、実施例１と同様に、帯６ａに帯揚げ６ｃ、帯締め６ｄを縫製してあり、体の背面側に位置する左右末端にそれぞれゴム布６ｍを縫着し、さらに左右のゴム布６ｍの端部は接続部材６ｎを縫製する。接続部材６ｎは、線ファスナーなどが例示できるが、他の接続手段、構造であってもよい。このような帯６ａは、使用に際しては、左右のゴム布６ｍが伸縮するので、当該帯６ａは大多数の体格をカバーするウエストサイズフリーとなる。上身頃２と別体であっても、一体であってもよい。
【００４８】
さらに、帯部６背面には、帯６ａから分離し、折り重ね形成した帯６ａに着脱可能なお太鼓１１である飾部（透視図として示した）を備える。ここで、飾部とは、図６に示すように、帯６ａの通常背中側に位置する立体飾り形状で、お太鼓、各種創作結び部分である。なお、飾部は、正面、側面に位置させることもある。
【００４９】
また、お太鼓とは、一般には、和服を着衣して、胴部に巻着付けた帯素材の両端部を背中側で結う基本的な帯の結い方によって、背中側に帯素材の一端を折り重ね、立体的に形成される帯の装飾形状部である。帯の一端は、“テ”と呼ばれ、他端は“タレ“と呼ばれる。お太鼓は、タレ部分を折重ね立体形状を形成し、お太鼓内部に配置される帯枕を巻いた帯揚げで締め付け形状を保持し、テを内部に挿入した上で、帯締めで固定される。
【００５０】
図６のように、お太鼓１１には、下に突出して垂れ下がったタレ１１ａ部分、サイドから飛び出たテ１１ｂを形成すると、より本物の着物のような外観となる。
【００５１】
着脱式飾部の一例であるお太鼓１１は、輪状に体に巻き付けられた部分の帯６ａに、着脱可能に装着する着脱式飾部であり、上身頃２側に、鈎状の係止具１１ｃを備え、上身頃２と帯６ａとの間に係止具１１ｃが挿入され、帯６ａにお太鼓１１を係止、脱落を防ぐ。さらに、留具１１ｄ、例えば、ボタンフック或いは面ファスナーで、上身頃２の背部又は／及び帯６ａと係止され、帯６ａとお太鼓１１を密着させ、帯６ａの背面側の連結構造を隠すとよい。
【００５２】
下身頃７は、上身頃２の下端部に位置するとともに、人の背面側、さらに左右側面に位置する部分を開閉して着付ける。背面側、望ましくは本物の着物にある縫い線部分に位置する背面側の接続部材７ｎ、例えば線ファスナーで、両端は隙間なく連結し、スカート状になる。下身頃７のその他の形状、構造は、通常の着物、実施例１と同様の形態を採用することができる。
【００５３】
上下身頃２、７を上下で分割した二部式の場合には、下身頃７の上部にゴムバンドを備え腹部からの脱落を防止するとよい。また、上下身頃２、７を、実施例１同様に、上下身頃２、７縫製した面ファスナー２ｄ、７ｅで位置可変に連結して、大多数の体格をカバーする丈サイズフリーとすることも可能である。
【００５４】
このようにしてなる実施例３の外観は、正に本物の着物と同様になり、撮影、着物を装着した活動も、本物の着物と同様にできる。装着の時間短縮になり、ドラマ、映画、記念撮影（写真、動画）、外国観光客のレンタル体験などに極めて有効である。
【実施例３】
【００５５】
実施例２において、上身頃、衿部の背面両端も縫着し、セーター、Ｔシャツと同様に筒状にすることで、上身頃の下端から頭を内部に挿入し、被って着装することで、最も簡易な上身頃とすることができる。左右衿芯、左右半衿は、分割することなく１本とし、衿芯は、左右半衿の内部末端から着脱可能に挿抜する。帯部は、実施例１、２と同様にすればよい。下身頃も、実施例２において、背面両端を縫製しスカート状形状とする。正面側は、本物の着物のように重ね併せるだけとする。上下身頃を上下一体としても、上下二部式としてもよい。
【００５６】
上下身頃を上下に分割する場合には、スカート状の下身頃上部は輪状に縫製した上で、下身頃の上部にゴムバンドを備え腹部からの脱落を防止するとよい。また、上下身頃２、７を、実施例１同様に、上下身頃２、７縫製した面ファスナー２ｄ、７ｅで位置可変に連結して、大多数の体格をカバーする丈サイズフリーとすることも可能である。
【００５７】
その際、臀部を通過させやすくするため、スカート状の下身頃側面には着装時に開閉して開口度を調節する線ファスナーを備えるとなお良い。このようにしてなる実施例３の外観は、正に本物の着物と同様になり、撮影、着物を装着した活動も、本物の着物と同様になる。
【実施例４】
【００５８】
次に、本発明である着脱式飾部について説明する。一般に、帯は、一本の帯生地を胴に巻き付けた部分と、帯生地の両端を背面で立体的形状（意匠）に結い揚げた飾部からなり、別体の帯板と、帯枕と、帯揚げと、帯締めとともに使用される。
【００５９】
お太鼓帯は、帯生地を着物の上で胴部に巻き付け、帯生地の両端を折り重ねて結った飾部を背中側に一体に備える。帯板は帯の形状を保持するため、帯の間に配置される板である。帯揚げは、太鼓部内に配置され帯枕を包み、帯に沿って巻き、腹部側で両端部が結ばれ、帯上部からその一部見られるように、帯の間に挟み込み、帯と着物の柄を調和させるとともに、お太鼓の形状を保持する。帯締めは、帯を固定するため紐等で、お太鼓部を通し、帯の上下方向中央部で帯に沿って巻き付け、腹部側で結ばれる。
【００６０】
本発明では、飾部のない帯と、飾部のない帯に固定した帯締め及び帯揚げを、まとめて帯部と呼ぶ。なお、帯板を含む場合もある。また、衣類の上に巻かれる輪状の帯又は帯部と、帯に着脱可能な着脱式飾部を、併せて、簡易帯セットと呼ぶ。また、着脱式飾部は、背中に近い部分を下飾部と呼び、背中から遠く表から視認できる立体形状の意匠部分を上飾部と呼ぶこととする。上飾部は、結い、重ね、縫製等で、立体形状を演出すれば、いずれの手段で立体的な形状を保持してもよい。
【００６１】
着脱式飾部の帯への装着方法としては、着脱式飾部に固定した鈎形状の係止部を帯部に係止する方法、ボタン、ホックなどの留具で帯、又は／及び左右上身頃の背面と着脱式飾部を連結する方法、同様に面ファスナーで着脱式飾部を吸着させる方法、またはそれらの組み合わせが例示できる。
【００６２】
帯、飾部の素材としては、従来の帯素材、被服に用いる素材全般を採用することができ、例えば革、レース編みなど、特に制限はない。帯、飾部を革で形成すれば、従来にない斬新な着物を提供することができ、着物文化の改革、発展、海外展開に多いに貢献することとなる。
【００６３】
次に、図７−９を参照して、本発明の着脱式飾部の一例である、着脱式お太鼓についてより具体的に説明する。着脱式お太鼓１２は、飾部１２ａと、一体帯枕１３と、ネット１４とからなる。
【００６４】
飾部１２ａは、図８の図７のＡ−Ａ断面に示すように、一本の帯生地を折り重ね、縫製して形状を保持するもので、背中（上身頃２）と帯６ａの間に挟み込まれ、背部１２ｋが背中側に位置する下飾部１２ｄと、下飾部１２ｄに連設するとともに帯生地を複数枚重ねて縫製してなり、帯部６の外側に位置する上飾部１２ｅと、帯６ａを挟持後、下飾部１２ｄと上飾部１２ｅの下端同士を連結する連結具、例えば面ファスナー１２ｆとからなり、従来の帯と一体に折り重ねて形成させるお太鼓を、帯から分離して、縫製等で形状保持した、着物の胴体部に巻かれた輪状の帯を挟み折り畳んで、帯部６（帯６ａ）に着脱可能に取り付けられる。
【００６５】
上飾部１２ｅの側面からは、従来のお太鼓結び同様、テ１２ｃを突出させ、下飾部１２ｄの下端は、上飾部１２ｅから突出し、視認できるタレ１２ｇを形成すると、本物のような外観になりよりよい。テ１２ｃは、上飾部１２ｅと一体でも別体で縫製して保持してもよい。下飾部１２ｄの内部には、クッション材１２ｈを配置すると飾部１２ａの形状保持と、緩衝性を付与する。
【００６６】
上下飾部１２ｅ、１２ｄの連結部分の両端は、三形状に内側に折り返し、縫製して、着脱式お太鼓１１の上部湾曲形状を保持するとよい。折り返し、縫製部を折込部１２ｂという。折込部１２ｂの折り返し線は、背中側の上部付近で上飾部１２ｅ方向からは視認できない位置にするとなおよい。
【００６７】
一体帯枕１３は、帯枕１３ｂと、帯枕１３ｂを包み下飾部１２ｄの上部に縫製等或いは着脱可能に固定した帯揚げ１３ａとからなり、飾部１２ａ上部の形状を保持する。帯揚げ１３ａの両端は、下飾部１２ｄと返部１２ｎの間に縫製等で固定すると見栄えがよい。帯枕１３ｂに替え、折り畳み傘を取り出し可能に帯揚げ１３ａに収納し、飾部１２ａの形状を保持してもよい。その他、飾部１２ａ内の帯揚げ部分を収納部とし、飾部１２ａの形状を保持することができる物品を収納しておくこともできる。
【００６８】
ネット１４は、図８に示すように、上部開口の両内側に面ファスナー１４ｂ等の密着構造を備え、下飾部１２ｄに固定される。ネット１４には、例えば、オムツ１５など、介護、小物を収納することができる。ネット１４のほかに、他の袋状物を用いてもよい。また、開閉は面ファスナー１４ｂの他、チャックなどでもよく、また上部でなく側面に開口を設けてもよい。
【００６９】
これにより、これまでデットスペースであった飾部１２ａの間、ここでは上下飾部１２ｅ、１２ｄの間に物品を収納することができる収納部を形成することができるようになるとともに、飾部１２ａの圧迫変形を防止することにも資する。ネット１４の内部収納物を出し入れするときは、上飾部１４ｄを下飾部１４ｅから引き上げ外し、開口を開閉すればよい。
【００７０】
次に、図９を参照して、着脱式お太鼓１２の装着方法について説明する。先ず図９（Ａ）に示すように、帯部６を着物に装着した上で、上下飾部１２ｅ、１２ｄを開き、図９（Ｂ）に示すように、背部１２ｋ側を背中側に位置させ、下飾部１２ｄを上身頃２と帯６ａの間に挿入する。そして、図９（Ｃ）に示すように、上飾部１２ｅをさげ、面ファスナー１２ｆ同士で、上下飾部１２ｅ、１２ｄを連結することで、帯６ａに係止する。その結果、着脱式お太鼓１２で、従来のお太鼓結びのような立体形状を、簡易に帯６ａに形成（係止）することができる。
【００７１】
なお、ここでは、簡易着付け式着物１を用いて説明したが、従来の着物、帯であっても、着脱式お太鼓１２を用いることができる。また、帯６ａの両端は、三角形に切り落とした切欠き６ｒとすると、連結手段を左右１箇所でよくなり、狭い箇所での連結でも両端を連結しやすい。
【実施例５】
【００７２】
次に、図１０を参照して、他の着脱式お太鼓１６について説明する。本実施形態は、着脱式お太鼓１２のネット１４を、折り重ねて形成した上飾部１２ｅの間に固定し、ネット１４ａとし、収納部としたもので、他の構成は、着脱式お太鼓１２と同じである。
【００７３】
図１０（Ａ）は着脱式お太鼓１６の上飾部１２ｅを上に持ち上げたときの背面側からの模式図、図１０（Ｂ）は上飾部１２ｅをさげ、面ファスナー１２ｆ同士で、上下飾部１２ｅ、１２ｄを連結したときの背面側（上飾部１２ｅ）からの模式図、図１０（Ｃ）は図１０（Ｂ）の状態での右側面模式図である。
【００７４】
ネット１４ａは、側面にチャック１４ｃを設けて側面開閉式とした。ネット１４ａであれば、上飾部１２ｅの開閉が必要なく、収納物のネット１４ａへの出し入れが、ネット１４より容易である。ネット１４ａに替え、上飾部１２ｅの両サイドのみにネットを貼って、側面でチャック１４ｃ開閉式としてもよい。
【実施例６】
【００７５】
次に、図１１を参照して、他の着脱式お太鼓１２ｐについて説明する。本実施形態は、着脱式お太鼓１２の一体帯枕１３を、一体帯揚げ１７に置換したものである。その他の構成については、着脱式お太鼓１２と同様である。
【００７６】
図１１（Ａ）は、着脱式お太鼓１２ｐの上飾部１２ｅを上に持ち上げたときの背面側からの模式図である。図１１（Ｂ）は、（Ａ）の状態で背部１２ｋ側からの模式図である。図１１（Ｃ）は、着脱式お太鼓１２ａの上飾部１２ｅをさげ、面ファスナー１２ｆ同士で、上下飾部１２ｅ、１２ｄを連結したときの背面側（上飾部１２ｅ）からの模式図である。
【００７７】
一体帯揚げ１７は、帯枕１３ｂ（図示省略）と、帯枕１３ｂを包み下飾部１２ｄに固定されるとともに左右に突出した帯揚げ１７ａと、帯揚げの左右突出部に縫製されるとともに両端にバックル１７ｅ、１７ｄ等の係止具を設けたゴムバンド１７ｂ、１７ｂからなる。
【００７８】
帯揚げ１７ａの左右の長さは胴部を一周まける程度からジャバラ状等で余裕をもってゴムバンド１７ｂに縫製（縫製線１７ｃ）する。ゴムバンド１７ｂの一端は、ここでは、下飾部１２ｄを構成する下飾部１２ｄに折り返された帯生地端部である返部１２ｎに縫製されている。背側に縫製されているため、装着時には、ゴムバンド１７ｂの端部は視認されない。なお、ゴムバンド１７ｂの端部を下飾部１２ｄと返部１２ｎの間に縫製すると見栄えがよい。
【００７９】
ゴムバンド１７ｂを用いることで、使用に際して伸縮し、大多数の体格をカバーするウエストサイズフリーの一体帯揚げ１７にすることができる。
【００８０】
このようにしてなる一体帯揚げ１７は、胴部に巻き、正面側でバックル１７ｅ、１７ｄを連結し、連結されたバックル１７ｅ、１７ｄを帯の間に挿入し隠すことで、従来の帯枕、帯揚げのような機能を発揮するとともに、帯揚げを用いている外観となる上、装着が極めて簡易である。
【実施例７】
【００８１】
次に、図１２を参照して、他の着脱式お太鼓１８について説明する。本実施形態は、着脱式お太鼓１２ｐの一体帯揚げ１７を一体帯揚げ１９に置換したものである。その他の構成については、着脱式お太鼓１２ｐと同様である。
【００８２】
図１２（Ａ）は、着脱式お太鼓１８の上飾部１２ｅを上に持ち上げたときの背面側からの模式図である。図１２（Ｂ）は、（Ａ）の状態で背部１２ｋ側からの模式図である。図１２（Ｃ）は、着脱式お太鼓１８の上飾部１２ｅをさげ、面ファスナー１２ｆ同士で、上下飾部１２ｅ、１２ｄを連結したときの背面側（上飾部１２ｅ）からの模式図である。
【００８３】
一体帯揚げ１９は、帯枕１３ｂ（図示省略）と、帯枕１３ｂを包み下飾部１２ｄに固定されるとともに左右に突出した帯揚げ１９ａと、帯揚げ１９ａの左右突出部に縫製され、かつ両端にバックル１９ｅ、１９ｄ等の係止具を設けるとともに背部１２ｋ側に位置する一本のゴムバンド１９ｂと、ゴムバンド１９ｂの長さを調節する調節部１９ｃと、下飾部１２ｄの背部１２ｋ側に固定されゴムバンド１９ｂを係止する固定部１２ｍとからなる。
【００８４】
固定部１２ｍは、例えば、背部１２ｋの上部の左右に固定される二つ輪で、内部にゴムバンド１９ｂを挿通する。
【００８５】
ゴムバンド１９ｂを用いることで、使用に際して伸縮し、さらに調節部１９ｃで長さ可変となるので、一体帯揚げ１７より、一層大多数の体格をカバーするウエストサイズフリーの一体帯揚げ１９になる。使用方法は、一体帯揚げ１７同様、胴部に巻き、正面側でバックル１９ｅ、１９ｄを連結し、連結されたバックル１９ｅ、１９ｄを帯の間に挿入し隠す。
【実施例８】
【００８６】
次に、簡易帯について説明する。簡易帯は、帯生地を胴部に複数回巻き付けることなく、簡易に胴部に帯部を装着するものである。以下、具体的な実施の形態について、詳しく説明する。
【００８７】
本発明の実施の一例である簡易帯２０について、図１３を参照して説明する。図１３（Ａ）は簡易帯２０を展開したときの裏面、（Ｂ）は簡易帯２０を展開したときの正面、（Ｃ）は簡易帯２０を使用状態と同様に輪状に連結したときの正面、（Ｄ）は（Ｃ）の背面で背中側に位置する側の模式図である。
【００８８】
図１３に示すように、簡易帯２０は、一体帯２１と、ベルト部２２からなる。一体帯２１は、帯２１ａと、帯２１ａに挟み、帯２１ａの形状を整える帯板６ｂと、帯３１ａの正面に縫製等で固定した帯締め６ｄと、帯２１ａの上部に縫製等で固定した帯揚げ６ｃと、帯２１ａの裏面に固定したベルト部２２を挿通、係止する通し２１ｂからなる。
【００８９】
帯２１ａは、帯生地を長手方向に水平方向に２つ折りに四隅を切欠き６ｒとした上で、左右、左右斜め上下、及び上限の両端部を縫製して、形状保持する。上辺の両端部の縫製とともに、帯揚げ６ｃを縫製して、帯２１ａの上部に固定してもよい。縫製されていない帯２１ａの上辺の中央は、一体帯２１のクリーニングの際、帯板６ｂは出し入れするように開放している。クリーニングに耐える帯板６ｂであれば、帯板６ｂを挟んだ上で、上辺も完全に縫製して閉じてもよい。
【００９０】
ベルト部２２は、通し２１ｂに挿通するゴムバンド２２ａと両端にバックル２２ｃ、２２ｄと、ゴムバンド２２ａの長さ調節を可能にする調節部２２ｂからなる。
【００９１】
ゴムバンド２２ａを用いることで、使用に際して伸縮し、大多数の体格をカバーするウエストサイズフリーの簡易帯２０にすることができる。
【００９２】
このようにしてなる簡易帯２０は、胴部に巻き、背面側でバックル２２ｃ、２２ｄを連結すれば、装着が極めて簡易になる。さらに、本発明の着脱式飾部を係止すれば、連結部を隠すことができるとともに、本物の帯のような外観を短時間で形成、演出することができる。
【実施例９】
【００９３】
本発明の実施の一例である簡易帯３０について、図１４を参照して説明する。図１４（Ａ）は簡易帯３０を展開したときの裏面、（Ｂ）は簡易帯３０を展開したときの正面、（Ｃ）は簡易帯３０を使用状態と同様に輪状に連結したときの正面、（Ｄ）は（Ｃ）の背面で背中側に位置する側の模式図である。
【００９４】
図１４に示すように、簡易帯３０は、一体帯３１と、第一ベルト３２、第二ベルト３３からなる。
【００９５】
一体帯３１は、帯３１ａと、帯３１ａに挟み、帯３１ａの形状を整える帯板６ｂとからなる。帯３１ａは、帯２１ａから、帯締め６ｄ、通し２１ｂを除いたものである。
【００９６】
第一ベルト３２は、帯３１ａに縫製等で接続する幅狭部３２ｂと、幅狭部３２ｂに連設する幅広部３２ａと、幅広部３２ａの端部に設けられたバックル３２ｃとからなる。第二ベルト３３は、帯３１ａに縫製等で接続する幅狭部３３ｂと、幅狭部３３ｂに連設する幅広部３３ａと、幅広部３３ａの端部に設けられたバックル３３ｃとからなる。ベルトは伸縮性のゴムとすることで、ウエストフリーの簡易帯３０となる。
【００９７】
バックル３２ｃ、３３ｃ同士は、ベルト部分を背中側でクロスさせ、正面側に回し、正面着脱可能に連結する。第一ベルト３２と第二ベルト３３を連結させ、帯３１ａを胴に固定するとともに、帯締めの意匠の代わりとする。バックル３２ｃ、３３ｃには、デザインを施し、それを積極的に見せることで、斬新な帯締めとして利用する。
【００９８】
幅狭部３２ｂ、３３ｂは、図１４（Ｄ）に示すように、クロスさせやすくするように幅が狭く、さらに上下に位置をズラして帯３１ａに固定すると、着心地を損ねない。
【実施例１０】
【００９９】
次に、本発明の実施の一例である簡易帯４０について、図１５を参照して説明する。図１５における模式図の配置は図１４と同様である。
【０１００】
また、簡易帯４０は、簡易帯３０の一体帯３１の帯３１ａに、一方の端部よりに１箇所穴４１ｂを穿設させ、ベルト部分を同一幅のベルト（ゴムベルト４２ａ、４３ａ）に変更し、一方のベルト、ここでは第二ベルト４３を挿通させたものである。その他は、簡易帯３０と同様である。簡易帯４０のようにクロスさせることなく、ベルトを胴部に回し、バックル４３ｂ、４３ｂを連結することができ、背面の外観をすっきりさせることができる。
【実施例１１】
【０１０１】
次に、本発明の実施の一例である簡易帯５０について、図１６を参照して説明する。図１６における模式図の配置は図１４と同様である。
【０１０２】
また、簡易帯５０は、簡易帯４０の第一ベルト４２にゴムバンド４２ａの長さを調節する調節部４２ａを設け、バックル４２ｃにゴムバンド４２ａを輪状に通し、長さ調節する。その他は、簡易帯４０と同様である。ゴムバンド４２ａ、４３ａを簡易帯４０のようにクロスさせることなく、ベルトを胴部に回し、バックル４３ｂ、４３ｂを連結することができ、背面で帯５１ａを一部重ねることで隙間をなくし、外観をすっきりさせることができる。
【実施例１２】
【０１０３】
次に、鞄として利用できる着脱式飾部について説明する。図１７に示す着脱式飾部６０は、図１１の着脱式お太鼓１２ｐにおいて、第一に下飾部１２ｄの左右に、バックル６２ｅ、６３ｅと連結するバックル６４、６５を設けた点、第二に一体帯揚げ１７において左右の帯揚げ及びゴムベルト６２ｂ、６３ｂをバックル６１ａ、６１ｂで着脱可能にした点が異なる。上下飾部で、帯６ａを挟持しても、挟持せずに帯６ａに位置させてもよい。
【０１０４】
バックル６４、６５とバックル６２ｅ、バックル６３ｅをそれぞれ連結することで、図１７（Ｃ）に示すように、飾部１２ａの左右に輪が２つ形成される。それら輪は、肩ベルト６２、６３となる。肩ベルト６２、６３を肩に掛けることで、飾部１２ａを背負式で、帯の背中位置に位置させることができる。背部１２ｋと帯、或いは上身頃とを面ファスナーで連結すれば、安定して、飾部１２ａを帯６ａに位置させることもできる。
【０１０５】
バックル６１ａ、６１ｂを採用することで、肩ベルト６２、６３の種類、長さを交換でき、バリエーションの幅が格段に広がる。また、背部１２ｋに、帯又は上身頃に係止できる留具を設けることで、飾部１２ａの位置を安定固定することができる。もちろん、バックルを用いることなく、肩ベルトを直接、飾部に固定してもよい。
【０１０６】
また、肩掛けで、飾部１２ａを帯の位置に位置させず、一体帯枕６１のバックル６２ｅ及び６３ｅを正面で連結すれば、着脱式お太鼓１２ｐのように飾部１２ａを係止することもできる。その際、バックル６１ａ、６１ｂを背部１２ｋ側に折曲げれば視認されない。さらに、バックル６１ａ、６１ｂを下飾部１２ｄに収納できるよう、下飾部１２ｄに袋を形成してもよい。
【０１０７】
他方、図１８に示すように、着物にお太鼓として利用することなく、バックル６３ｅ、６２ｅを図１８（Ｂ）のように連結すれば、肩ベルト６２と肩ベルト６３で１つの輪が形成され、ショルダー、手提げバッグ６６としても利用できる。その際、バックル６４、６５を下飾部１２ｄに収納するとよい。もちろん、背負いバッグとしても利用できる。
【実施例１３】
【０１０８】
次に、本発明の着脱式飾部の実施の一例である背負式飾部７０について、図１９を参照して説明する。
【０１０９】
背負式飾部７０は、図１９に示すように、児童が通学時の教材入れに使用する、背負式のランドセル形状或いはリュックサック形状であり、収納部７１と、蓋７３と、左肩ベルト７４と、右肩ベルト７５と、必要に応じて収納部７１の上部等に小収納部７２を備えてなる。なお、収納部７１、蓋７３、左右肩ベルト７４、５の形状、素材、収納方式は特に限定されるものではない。収納部７１、蓋７３が、従来の帯の飾部に相当し、本発明は、簡易装着、着脱式の飾部である。
【０１１０】
収納部７１は、内部にスペース７１ａを有し、例えば上部に開口７１ｂを残した略直方体形状等の形を、例えば革を縫製等で成形してなる。蓋７３、左右肩ベルト７４、７５も同様の素材が採用できる。また、収納部７１の内部スペース７１ａは、複数の区画に区分けされていてもよい。
【０１１１】
蓋７３は、収納部７１に１辺（例えば上端）が接続し、他端（例えば下端）が収納部７１に着脱自在に係止され、開口７１ｂの開閉をする。蓋７３の外表面に、各種デザインを施した意匠を取り付けてもよい。収納部７１と蓋７３との係止は、それぞれに固定された面ファスナー等の係止具７１ｃ、７３ａとの着脱が例示できる。
【０１１２】
左右肩ベルト７４、７５は、収納部７１の背部７１ｄ側に位置する２本の輪で、それぞれに左右の腕を通し、肩に掛けられる。その結果、収納部７１が帯７６の位置に位置する。なお、帯は、胴部に巻かれた帯であれば特に制限されない。
【０１１３】
また、左右肩ベルト７４、７５は、上下に２つ固定したフックボタンなどの係止具７４ｂ、７４ｃ、７５ｂ、７５ｃで、収納部７１に着脱自在に取り付けられるとよい。それにより、長さ、素材の材質を含むデザイン変更が可能になり、多数のバリエーションを提供できる。
【０１１４】
また、左右肩ベルト７４、７５を２重ベルトとして、長さ調節具を用いて、ランドセルの肩ベルトのように、長さ可変にしてもよい。さらに、左右肩ベルト７４、７５には、着物のデザインに合う生地で飾り７４ａ、７５ａを縫製等で付加してもよい。
【０１１５】
ランドセル、リュックサック形状の革製の簡易装着可能な背負式飾部７０であれば、形状が保持されるため、帯枕を備えなくともよい。他方、革製でない他の被服生地の場合には、縫製のみでは形状保持が困難ため、従来の帯枕を、収納部７１の上部に固定、収納して形状保持してもよい。例えば、チャック７２ａによる開閉式の小収納部７２に、折り畳み式傘７２ｂ等の形状を保持可能な物品を収納してもよい。小収納部７２は、帯揚げと同一、又は帯揚げとマッチする生地などで縫製すると、デザインに統一が図れる。収納部７１が革製、布製に限らず、折り畳み傘７２ｂを小収納部７２に収納すれば、飾部に相当する収納部７１及び蓋７３の形状保持と雨天の場合の雨具ともなり便利である。
【０１１６】
また、背負式飾部７０は、背負式で飾部に相当する収納部７１を帯７６の位置に位置させるため、帯締めによる収納部７１の固定も必要ではないが、収納部７１の位置をより安定させるため、帯６ａ又は／及び上身頃と背部７１ｄに面ファスナー７１ｅ等の係止具を備え、係止具の連結で、収納部７１の帯７６位置での固定を補助してもよい。
【０１１７】
ランドセル、リュックサック形状の背負式飾部７０は、例えば、図１３、１４、１５、１６の簡易帯とともに使用するとよい。特に、図１６の簡易帯５０とともに使用すれば、外出時に背負式飾部７０を下ろしたとしても、着物の背中は、違和感のない外観となるので好ましい。その他の飾部のない帯とともに使用することができる。このような背負式飾部７０であれば、着物の装いであっても、別途、鞄を携帯することなく、外出時の小物の携帯が容易であり、両手があき作業性がよい。
【符号の説明】
【０１１８】
１      簡易着付け式着物
１ａ    簡易着付け式着物
２      上身頃
２ａ    左上身頃
２ｂ    右上身頃
２ｃ    おはしょり
２ｄ    面ファスナー
２ｅ    面ファスナー
２ｆ    面ファスナー
２ｇ    上開口
２ｈ    接続部材
３      衿部
３ａ    左衿芯
３ｂ    右衿芯
３ｃ    左半衿
３ｄ    右半衿
３ｅ    左衿
３ｆ    右衿
３ｇ    カバー
３ｈ    面ファスナー
３ｉ    面ファスナー
３ｊ    ボタン
３ｋ    接続部材
４      左袖部
４ａ    縫線
５      右袖部
５ａ    縫線
６      帯部
６ａ    帯
６ｂ    帯板
６ｃ    帯揚げ
６ｄ    帯締め
６ｅ    面ファスナー
６ｆ    面ファスナー
６ｇ    上連結部材
６ｈ    収納部
６ｉ    縫糸
６ｋ    面ファスナー
６ｍ    ゴム布
６ｎ    接続部材
６ｒ    切欠き
７      下身頃
７ａ    上前身頃
７ｂ    下前身頃
７ｃ    おくみ
７ｄ    おくみ線
７ｅ    面ファスナー
７ｆ    面ファスナー
７ｇ    面ファスナー
７ｈ    下連結部材
７ｉ    下開口
７ｋ    収納部
７ｍ    縫糸
７ｎ    接続部材
８      足袋
９      草履
１０    車椅子
１０ａ  背もたれ
１１    お太鼓
１１ａ  タレ
１１ｂ  テ
１１ｃ  係止具
１１ｄ  留具
１２    着脱式お太鼓
１２ａ  飾部
１２ｂ  折込部
１２ｃ  テ
１２ｄ  下飾部
１２ｅ  上飾部
１２ｆ  面ファスナー
１２ｇ  タレ
１２ｈ  クッション材
１２ｋ  背部
１２ｍ  固定部
１２ｎ  返部
１２ｐ  着脱式お太鼓
１３    一体帯枕
１３ａ  帯揚げ
１３ｂ  帯枕
１４    ネット
１４ａ  ネット
１４ｂ  面ファスナー
１４ｃ  チャック
１５    オムツ
１６    着脱式お太鼓
１７    一体帯揚げ
１７ａ  帯揚げ
１７ｂ  ゴムバンド
１７ｃ  縫製線
１７ｄ  バックル
１７ｅ  バックル
１８    着脱式お太鼓
１９    一体帯揚げ
１９ａ  帯揚げ
１９ｂ  ゴムバンド
１９ｃ  調節部
１９ｄ  バックル
１９ｅ  バックル
２０    簡易帯
２１    一体帯
２１ａ  帯
２１ｂ  通し
２２    ベルト部
２２ａ  ゴムバンド
２２ｂ  調節部
２２ｃ  バックル
２２ｄ  バックル
３０    簡易帯
３１    一体帯
３１ａ  帯
３２    第一ベルト
３２ａ  幅広部
３２ｂ  幅狭部
３２ｃ  バックル
３３    第二ベルト
３３ａ  幅広部
３３ｂ  幅狭部
３３ｃ  バックル
４０    簡易帯
４１    一体帯
４１ａ  帯
４１ｂ  穴
４２    第一ベルト
４２ａ  ゴムバンド
４２ｂ  調節部
４２ｃ  バックル
４３    第二ベルト
４３ａ  ゴムバンド
４３ｂ  バックル
５０    簡易帯
５１    一体帯
５１ａ  帯
５１ｂ  穴
６０    着脱式飾部
６１    一体帯枕
６１ａ  バックル
６１ｂ  バックル
６２    肩ベルト
６２ａ  帯揚げ
６２ｂ  ゴムベルト
６２ｃ  縫製線
６２ｄ  バックル
６２ｅ  バックル
６３    肩ベルト
６３ａ  帯揚げ
６３ｂ  ゴム
６３ｃ  縫製線
６３ｄ  バックル
６３ｅ  バックル
６４    バックル
６５    バックル
６６    バッグ
７０    背負式飾部
７１    収納部
７１ａ  スペース
７１ｂ  開口
７１ｃ  係止具
７１ｄ  背部
７１ｅ  面ファスナー
７２    小収納部
７２ａ  チャック
７２ｂ  折り畳み式傘
７３    蓋
７３ａ  係止具
７４    左肩ベルト
７４ａ  飾り
７４ｂ  係止具
７４ｃ  係止具
７５    右肩ベルト
７５ａ  飾り
７５ｂ  係止具
７５ｃ  係止具
７６    帯  
【図１】
2016084568.tif 000003
【図２】
2016084568.tif 000004
【図３】
2016084568.tif 000005
【図４】
2016084568.tif 000006
【図５】
2016084568.tif 000007
【図６】
2016084568.tif 000008
【図７】
2016084568.tif 000009
【図８】
2016084568.tif 000010
【図９】
2016084568.tif 000011
【図１０】
2016084568.tif 000012
【図１１】
2016084568.tif 000013
【図１２】
2016084568.tif 000014
【図１３】
2016084568.tif 000015
【図１４】
2016084568.tif 000016
【図１５】
2016084568.tif 000017
【図１６】
2016084568.tif 000018
【図１７】
2016084568.tif 000019
【図１８】
2016084568.tif 000020
【図１９】
2016084568.tif 000021